(57)【特許請求の範囲】
【請求項１】
ボトムシートの上部にインナーシートが張設されたインナーテントと、このインナーテントのインナーシートを覆うように張設されるフライシートとから成るダブルウォールテントであって、前記インナーシートの一端面部に出入口部となる開閉部を設け、この開閉部が設けられたインナーシートの一端面部と反対側の他端面部とを覆わずに露出させる形状に前記フライシートを構成し、このフライシートで覆われずに露出する前記インナーシートの前記開閉部を設けた一端面部と反対側の他端面部とは、防水加工を施した防水性露出面部に構成し、この防水性露出面部と隣接するインナーシートの隣接面部は通気性を有する構成とし、このインナーシートは、前記防水性露出面部と隣接する前記隣接面部の隣接側部にも防水加工を施した防水性連結面部を設けて、この防水性連結面部が隣接面部と共に前記フライシートで覆われるように構成し、この防水性連結面部と前記防水性露出面部とを連結し、この連結部が前記インナーテントの角縁部となるように前記インナーシートを構成し、この防水性連結面部は、下方側が幅広となる形状に形成したことを特徴とするダブルウォールテント。
【請求項２】
前記防水性露出面部及び前記防水性連結面部は、通気性を有して透湿性のあるシート素材に防水材をコーティングして防水性を有する構成としたことを特徴とする請求項１記載のダブルウォールテント。
【請求項３】
前記防水性露出面部と前記防水性連結面部とを縫着連結して前記インナーテントの角縁部を構成し、この縫着部である角縁部にシームテープを止着したことを特徴とする請求項１，２のいずれか１項に記載のダブルウォールテント。
【発明の詳細な説明】
【技術分野】
【０００１】
本発明は、インナーテントの上部に、このインナーテントを覆うようにフライシートを張設するダブルウォールテントに関するものである。
【背景技術】
【０００２】
登山やキャンプなどに用いられるテントは、シングルウォールタイプと、ダブルウォールタイプとに大別される。
【０００３】
シングルウォールテントは、例えば特許文献１のように、地面に敷設されるボトムシートの上部に天井部も兼ねるドーム形のウォールシートが張設された構成である。
【０００４】
具体的には、ウォールシートに複数のスリーブ部が設けられ、各スリーブ部に挿入したポールをアーチ状に架設することによって、複数のポールがウォールシートをドーム状に支持するように構成されている。
【０００５】
更に、ウォールシートの角縁部には張り綱が付設されていて、この張り綱を地面にペグ打ちすることによって地面に固定できるように構成されている。
【０００６】
一方、ダブルウォールテントは、例えば特許文献２のように、前記シングルウォールデントと同等の構成のインナーテントと、このインナーテントのウォールシート（インナーシート）を覆うように張設されるフライシートとから成り、フライシートの隅部と、インナーテントの隅部とをバックル止めすることで、フライシートがインナーテントに取り付けられる構成である。
【０００７】
また、インナーテントの角縁部には、シングルウォールテントと同様に張り綱が設けられ、この張り綱を通すための貫通部がフライシートに設けられていて、貫通部を介してフライシートの外方に配した張り綱を地面にペグ打ちすることによって地面に固定できるように構成されている。
【先行技術文献】
【特許文献】
【０００８】
【特許文献１】特開平８−１９９８５９号公報
【特許文献２】実公平７−５４４９５号公報
【発明の概要】
【発明が解決しようとする課題】
【０００９】
シングルウォールテントは、軽量で携帯性に優れるというメリットがある。
【００１０】
しかしながらこのシングルウォールテントは、テントの全面に防水コーティング（ＰＵ（ポリウレタン）コーティング）を施すことで雨水などの侵入を防止しているため、通気性が非常に悪く、テントの内面が結露し易いという問題があった。
【００１１】
また、使用者の酸欠防止のために、強制的に開放状態が維持されるベンチレーション（換気部）を設ける必要があり、この強制開放部を有するが故に保温性が低い上、ベンチレーションから雨水等が侵入することもあった。
【００１２】
また、従来から、構成素材にゴアテックス（登録商標）を採用したシングルウォールテントも実施されている。
【００１３】
このゴアテックステントによれば、防水コーティングが施されたテント素材より通気性が良く（結露しにくく）、そのため、ベンチレーションが強制的に開放するものである必要がなく、しかも、湿気の排出速度が遅く熱を逃がしにくい特性を有しているので保温性にも優れ、上記した通常のシングルウォールテントの問題点を解消できたものとなっている。
【００１４】
しかしながらこのゴアテックステントは、後述するダブルウォールテント以上に高価な上、テントの表生地と裏生地の間にゴアテックスメンブレンをラミネートする複層構造生地を採用するために、通常のシングルウォールテントより重量が増加して携帯性に劣るというデメリットがあった。
【００１５】
一方、ダブルウォールテントは、インナーテントが防水コーティングを施さない透湿性の高い素材で構成され、フライシートに防水コーティングが施される構成のため、インナーテントの通気性が良く、そのためベンチレーションが強制的に開放するものである必要がなく、しかも、フライシートとインナーテントとの間に存する空気層によって断熱効果が得られるので、保温性も通常のシングルウォールテントより高く、また、フライシートは結露するものの、インナーテントの内部には結露の影響が生じにくいというメリットがある。
【００１６】
更に、インナーテントの出入口部（開閉部）がある前壁部と、この前壁部の前方に張設されるフライシートとの間の空間部が形成されるので、この空間部を靴置きや不要な水などを捨てるための前室として使用できるというメリットもあった。
【００１７】
しかしながらこのダブルウォールテントは、インナーテントとフライシートの二つの構成部品を要するため、前記したゴアテックステントより更に重量があって携帯性に劣る上、出入口部が二重になるため出入りが容易ではなく、しかも、インナーテントに設けられた張り綱を、いちいちフライシートの貫通部から外方へと探り出さなければならないため、シングルウォールテントに比べると設営に時間がかかるというデメリットがあった。
【００１８】
このように従来のテントは、シングルウォールテントもダブルウォールテントも一長一短がある。
【００１９】
本発明は、このような従来のテントの現状に鑑みて商品開発をすすめ、ダブルウォールタイプを基本に改良を施して実用性を追求したもので、フライシートを軽量化でき、出入し易く且つスピーディーな設営を実現でき、またフライシートで覆われずに露出するインナーシートの露出面部の防水性を確保した実用的なダブルウォールテントを提供するものである。
【課題を解決するための手段】
【００２０】
添付図面を参照して本発明の要旨を説明する。
【００２１】
ボトムシート１の上部にインナーシート２が張設されたインナーテント３と、このインナーテント３のインナーシート２を覆うように張設されるフライシート４とから成るダブルウォールテントであって、前記インナーシート２の一端面部に出入口部となる開閉部５を設け、この開閉部５が設けられたインナーシート２の一端面部と反対側の他端面部とを覆わずに露出させる形状に前記フライシート４を構成し、このフライシート４で覆われずに露出する前記インナーシート２の前記開閉部５を設けた一端面部と反対側の他端面部とは、防水加工を施した防水性露出面部６に構成し、この防水性露出面部６と隣接するインナーシート２の隣接面部７は通気性を有する構成とし、このインナーシート２は、前記防水性露出面部６と隣接する前記隣接面部７の隣接側部にも防水加工を施した防水性連結面部８を設けて、この防水性連結面部８が隣接面部７と共に前記フライシート４で覆われるように構成し、この防水性連結面部８と前記防水性露出面部６とを連結し、この連結部が前記インナーテント３の角縁部11となるように前記インナーシート２を構成し、この防水性連結面部８は、下方側が幅広となる形状に形成したことを特徴とするダブルウォールテントに係るものである。
【００２２】
また、前記防水性露出面部６及び前記防水性連結面部８は、通気性を有して透湿性のあるシート素材に防水材をコーティングして防水性を有する構成としたことを特徴とする請求項１記載のダブルウォールテントに係るものである。
【００２３】
また、前記防水性露出面部６と前記防水性連結面部８とを縫着連結して前記インナーテント３の角縁部11を構成し、この縫着部である角縁部11にシームテープ12を止着したことを特徴とする請求項１，２のいずれか１項に記載のダブルウォールテントに係るものである。
【発明の効果】
【００２４】
本発明は上述のように構成したから、ダブルウォールテントでありながらインナーシートの開閉部が設けられた一端面部と反対側の他端面部とを覆わずに露出させる形状にフライシートを構成したことで軽量化でき、前室をなくしたことでインナーテントから出入し易く、また、インナーテントに設けられた張り綱を地面に固定する場合に、フライシートに覆われていないインナーテントの一端面側と他端面側とから張り綱を引き出してシングルウォールテントと同様に容易に固定することができるため、スピーディーな設営を実現でき、しかも、露出するインナーシートの一端面部と他端面部の防水性を確保できると共に、防水性露出面部を有する構成でありながらインナーテントの通気性も確保できるなど、極めて実用性に優れた画期的なダブルウォールテントとなる。
【００２５】
また、本発明においては、インナーシートの防水性露出面部だけでなく、これに隣接する部位（防水性連結面部）の防水性も確保できる。即ち、インナーシートの一端面部と他端面部がフライシートで覆われずに露出する本発明にあっては、この一端面部と他端面部の防水性露出面部から隣接する隣接面部に雨水などが廻り込んで隣接面部からインナーテント内に入り込むことが懸念されるが、このことを防水性露出面部に隣接する防水性連結面部で防止できる一層実用性に優れたダブルウォールテントとなる。
【００２６】
また、本発明においては、フライシートで覆われずに露出するインナーシートの一端面部と他端面部とに隣接する角縁部を簡易に且つ確実にシームシーリングできて防水性を確保できる極めて実用性に優れたダブルウォールテントとなる。
【００２７】
また、請求項２記載の発明においては、防水性露出面部と防水性連結面部とは簡易な防水加工によって確実に防水性を付与することができ、しかも、例えば防水性露出面部と防水性連結面部との連結部に、シームシーリング材としてのシームテープを熱接着してこの連結部にも簡易に防水性を付与することが可能となるなど、一層実用性に優れたダブルウォールテントとなる。
【００２８】
また、請求項３記載の発明においては、防水性露出面部と防水性連結面部とを縫着により簡易に連結でき、この縫着部（角縁部）への防水加工もシームテープを止着するだけで非常に容易に行われる一層実用性に優れたダブルウォールテントとなる。
【図面の簡単な説明】
【００２９】
【図１】本実施例を示す斜視図である。
【図２】本実施例を示す別角度からの斜視図である。
【図３】本実施例の分解斜視図である。
【図４】本実施例の側断面図である。
【図５】本実施例の土間部の使用状態を示す説明部分拡大斜視図である。
【図６】本実施例のインナーテントの角縁部の連結構造並びに防水構造を示す部分拡大平断面図である。
【発明を実施するための形態】
【００３０】
好適と考える本発明の実施形態を、図面に基づいて本発明の作用を示して簡単に説明する。
【００３１】
本発明のフライシート４は、インナーテント３の一端面部と他端面部を覆わずに露出させる形状に構成している。即ち、フライシート４は、インナーテント３の一端面部と他端面部を覆う部分がなくても良い形状のため、既存のフライシートに比べて軽量化が可能であり、よって既存品に比べて軽量なダブルウォールテントを実現可能である。
【００３２】
インナーテント３を設営し、このインナーテント３のインナーシート２を覆うようにフライシート４を張設すると、インナーシート２の一端面部と他端面部がフライシート４に覆われずに露出する。
【００３３】
即ち、インナーテント３の一端面部に設けられた開閉部５（出入口部）の前方にはフライシート４による前室ができず、この一端面部に設けられた開閉部５が露出状態となるので、ダブルウォールテントでありながら出入口部が二重にならず、シングルウォールテントと同様に開閉部５からの出入りを容易に行うことができる。
【００３４】
また、インナーテント３に設けられた張り綱14を地面10に固定する場合には、フライシート４に覆われていないインナーテント３の一端面側と他端面側とから張り綱14を引き出してシングルウォールテントと同様に容易に固定することができる。
【００３５】
また、インナーテント３の一端面部と他端面部は、防水加工を施して防水性露出面部６に構成しているので、フライシート４に覆われずともこの防水性露出面部６で雨水などの侵入を防止できる。
【００３６】
また、防水加工が施された防水性露出面部６は通気性が悪いが、この防水性露出面部６と隣接する通気性の隣接面部７によってインナーテント３の換気機能が発揮される。
【００３７】
また、インナーテント３は、そのインナーシート２の一端面部及び他端面部を構成するテント生地と、これに隣接する隣接面部７を構成するテント生地とを縫着連結してこの縫着連結部をインナーテント３の角縁部11としているものが多いが、一端面部と他端面部がフライシート４で覆われずに露出する本発明にあっては、この角縁部11からインナーテント３内に雨水が入り込んだり角縁部11から隣接面部７に雨水などが廻り込む可能性があるので、この角縁部11にも防水性を持たせることが望ましい。
【００３８】
そこで、例えば、防水性露出面部６と隣接する透湿性の隣接面部７の隣接側部にも防水加工を施した防水性連結面部８を設けて、この防水性連結面部８と前記防水性露出面部６とを連結した構成とすれば、防水性露出面部６と防水性連結面部８の連結部（インナーテント３の角縁部11）を防水性に設計することが可能となり、このように設計することによって雨水などが前記連結部（角縁部11）からインナーテント３内に入り込んだり、連結部から隣接面部７に廻り込んでインナーテント３内に入り込むことが防止される。
【００３９】
尚、このような連結部（角縁部11）への防水加工は、シームテープ12を熱接着することが加工の容易性の面でも防水性の面でも好ましい。例えば、前記防水性露出面部６及び前記防水性連結面部８は、通気性を有して透湿性のあるシート素材に防水材（例えば、ＰＵ）をコーティングして防水性を有する構成とすれば、この防水材がコーティングされた防水性露出面部６と防水性連結面部８とには、シームテープ12をアイロンなどを利用して簡単に熱接着可能となるので、この防水性露出面部６と防水性連結面部８との連結部に架け渡すようにしてシームテープ12を止着してこの連結部に防水性を付与することが簡易に設計実現可能となる。
【実施例】
【００４０】
本発明の具体的な実施例について図面に基づいて説明する。
【００４１】
本実施例は、平面視長方形状のボトムシート１の上部にインナーシート２がドーム状に張設されたインナーテント３と、このインナーテント３のインナーシート２を覆うように張設されるフライシート４とから成るダブルウォールテントに係るものである。
【００４２】
本実施例のインナーテント３は、二本のポール15によりドーム形に張設される構成としている。
【００４３】
具体的には、インナーシート２の表面（上面）に、その頂上部で交差する二本の所定長さのスリーブ部16を縫着突設し、この各スリーブ部16に一本ずつポール15を挿通すると共に、各ポール15を上方へ凸となる湾曲状に張設することで、インナーシート２が側面視でドーム状に張設されると共に、各スリーブ部16の縫着位置が角縁部11となる平断面長方形状に張設される構成としている。即ち、長方形状のボトムシート１の四辺部から上方へ前後左右の壁面が連設する形状にインナーシート２が張設される構成としている。図中符号17はインナーシート２とスリーブ部16の間に設けたメッシュ生地部である。
【００４４】
また、このインナーシート２の一端面部（図面では短手方向の面部）に、出入口部となる開閉部５を設け、この開閉部５は、図示省略のファスナーにより開閉自在に構成している。
【００４５】
また、このインナーシート２の前記各スリーブ部16の両端部に、張り綱14を突設し、この張り綱14を地面10にペグ打ちすることで、インナーテント３を地面に固定できるようにしている。
【００４６】
本実施例のフライシート４は、防水加工（例えばＰＵコーティング）を施している。
【００４７】
また、このフライシート４は、前記インナーテント３のインナーシート２を覆うように張設した際に、前記開閉部５が設けられたインナーシート２の一端面部と、この一端面部の反対側のインナーシート２の他端面部とを覆わずに露出させる形状に形成している。
【００４８】
具体的には、既存のフライシートから、インナーシート２の一端面部と、反対側の他端面部を覆う部分を省いた（除去した）形状のフライシート４に構成し、除去した分だけ既存品より軽量化を達成している。
【００４９】
即ち、このフライシート４でインナーテント３のインナーシート２を覆うと、インナーシート２の天井部と、インナーシート２の一端面部と他端面部に隣接する隣接面部７（長手方向の面部）とが覆われて、前記開閉部５が設けられたインナーシート２の一端面部と反対側の他端面部とが露出状態となるように構成している。そして、このフライシート４に覆われていないインナーテント３の一端面側と他端面側とから、前記張り綱14を引き出して地面10に固定できるように構成している。
【００５０】
また、インナーテント３とフライシート４の取り付け構造は、インナーテント３の四隅と、フライシート４の四隅部とを着脱自在にバックル18止めする構造としている。図中符号19はフライシート４を張設してインナーテント３との間に空間部（空気層）を形成するためのフライ用張り綱である。
【００５１】
本実施例では、前記フライシート４で覆われずに露出する前記インナーシート２の前記開閉部５を設けた露出面部６（一端面部）と、反対側の他端面部とを、防水加工を施した防水性露出面部６に構成し、この防水性露出面部６と隣接する通気性の前記隣接面部７の隣接側部にも防水加工を施した防水性連結面部８を設けて、この防水性連結面部８と前記防水性露出面部６とを連結した構成とし、この連結部を前記インナーシート２の前記角縁部11としている。また、前記隣接面部７は、通気性を有して透湿性のあるシート素材で構成している。
【００５２】
従って、フライシート４に覆われずともこの防水性露出面部６でインナーテント３内への雨水などの侵入を防止できると共に、この防水性露出面部６に隣接する隣接面部７の隣接側部の防水性連結面部８で、角縁部11から隣接面部７側へ廻り込んだ雨水などの侵入も防止できる構成としている。
【００５３】
具体的には、防水性露出面部６と防水性連結面部８とは、通気性を有して透湿性のあるシート素材（例えばナイロン）のテント内面を構成する面に防水材（ＰＵ）をコーティングすることで防水性を有する構成としている。
【００５４】
また、防水性露出面部６と防水性連結面部８との連結構造は、図６に示すように、防水性露出面部６の両端部と防水性連結面部８の隣接側端部とを、間に前記スリーブ部16に連設されたメッシュ生地部17を挟んで重合して、この重合部分を縫着連結した構造としている。そして、この縫着連結部を前記角縁部11としている。
【００５５】
また、この縫着部である角縁部11の内側面に、この角縁部11の防水性露出面部６と防水性連結面部８とに架け渡すようにしてシームテープ12を止着して、この角縁部11にも防水性を付与する構成としている。この際、防水性露出面部６と防水性連結面部８とは、ＰＵコーティングが施されているので、アイロンなどを用いてシームテープ12を簡単に熱接着することが可能である。
【００５６】
また、防水性連結面部８と前記隣接面部７との連結構造は、図６に示すように、防水性連結面部８の端部と隣接面部７の隣接側端部とを重合して縫着連結した構造としている。
【００５７】
本実施例では、前記開閉部５を設けた防水性露出面部６のインナーテント３内側下方の前記ボトムシート１に地面10が露出する土間部９を設けて、このインナーテント３内で露出した土間部９の地面10に、前記防水性露出面部６の前記開閉部５からインナーテント３内に入室した際に靴Ｋを脱ぎ置けると共にこの防水性露出面部６のインナーテント３内側面が結露してもこのインナーテント３内側面を伝う水適がこの地面10へと自然に流れ落ちるように構成している。
【００５８】
具体的には、土間部９は、開閉部５を設けた防水性露出面部６側のボトムシート１の一部を長方形状に切込して土間用切欠窓22を形成すると共に、この土間用切欠窓22よりやや大きめな長方形状であって土間用切欠部22を覆い閉塞可能なシート状のめくり上げ開閉部13をボトムシート１に付設した構成としている。
【００５９】
また、このめくり上げ開閉部13は、インナーテント３内の前記開閉部５に対して奥側（ボトムシート１の中央側）に位置する土間用切欠窓22の長手方向縁寄り位置に、起伏方向に開閉自在に付設した構成とし、このめくり上げ開閉部13の開閉部５側をめくり上げて土間用切欠窓22を開放できるようにしている。
【００６０】
また、このめくり上げ開閉部13には、そのめくり上げ先端の左右部に掛環23を突設し、この掛環23を掛脱自在に掛止可能なトグル24を、前記開閉部５を設けた防水性露出面部６側のボトムシート１上面の左右隅部に突設している。
【００６１】
即ち、めくり上げ開閉部13で土間用切欠窓22を閉塞して掛環23をトグル24に掛止することにより、めくり上げ開閉部13をめくり上げできない状態（閉塞状態のめくり上げ開閉部13がボトムシート１の一部として機能する土間部９不使用状態）にでき、この土間部９不使用状態と、掛環23をトグル24から掛脱してめくり上げ開閉部13をめくり上げ可能な状態（ボトムシート１に地面10が露出する土間部９の使用状態）とを切り替えて使用可能な構成としている。
【００６２】
従って、本実施例は、フライシート４による前室はないが、インナーテント３内側の防水性露出面部６の下方のボトムシート１に設けられた土間部９から地面10が露出しているので、防水性露出面部６の開閉部５からインナーテント３内に入室した際に、この土間部９の地面10に靴Ｋを脱ぎ置くことができるし、この土間部９から地面10に余ったお湯や水などを捨てることもできる。
【００６３】
また、防水性露出面部６のインナーテント３内側面は、通気性が悪いために結露し易いが、この防水性露出面部６のインナーテント３内側面が結露しても、この内側面を伝う水適が下方の土間部９からインナーテント３外の地面10へと流れて自然に排出されることとなる。
【００６４】
また、本実施例では、前記インナーシート２の一端面部側（開閉部５を設けた防水性露出面部６側）の上部にバイザー用フレーム20を設け、このバイザー用フレーム20で開閉部５上方に存するフライシート４の端部を持ち上げることによりバイザー21を形成可能な構成としている。
【００６５】
尚、本発明は、本実施例に限られるものではなく、各構成要件の具体的構成は適宜設計し得るものである。
【符号の説明】
【００６６】
１  ボトムシート
２  インナーシート
３  インナーテント
４  フライシート
５  開閉部
６  防水性露出面部
７  隣接面部
８  防水性連結面部
11  角縁部
12  シームテープ
【図１】
0005878149.tif 000002
【図２】
0005878149.tif 000003
【図３】
0005878149.tif 000004
【図４】
0005878149.tif 000005
【図５】
0005878149.tif 000006
【図６】
0005878149.tif 000007